(57)【要約】      （修正有）【課題】レンズユニットを光軸方向に押込み光軸まわりに回動してカメラ本体に係合させるレンズ交換式カメラにおいて、電気接続端子の保護が可能な装置を提供する。【解決手段】レンズユニット３０を光軸方向に押込み、光軸まわりに回動してカメラ本体２０に係合させるレンズ交換式カメラにおいて、カメラ本体２０にレンズユニット３０挿入方向に抗して付勢されているバリア１０を備え、バリア１０はレンズユニット３０の挿入動作に連動して退避し、退避すると接続端子が露出し、レンズが光軸まわりに回動して係合すると接続端子の接点同士が接触するようにした。【選択図】図１（ａ）
2005316438.tif 000002
【特許請求の範囲】
【請求項１】
レンズユニットを光軸方向に押込み光軸まわりに回動してカメラ本体に係合させるレンズ交換式カメラにおいて、レンズユニット挿入方向に抗して付勢されているバリアをカメラ本体に備え、該バリアはレンズ挿入動作に連動して退避し、退避に伴ってカメラ本体側接点を露出させるように構成され、レンズユニットにはレンズユニットが光軸まわりに回動してカメラ本体に係合したとき、前記カメラ本体側接点に接触する接点を備えたことを特徴とするレンズ交換式カメラ。
【請求項２】
前記カメラ本体側接点が、カメラ側マウントの爪の裏側に配設されていることを特徴とする請求項１記載のレンズ交換式カメラ。
【請求項３】
前記バリアのレンズユニットと接する接触面にゴムを介装するか又はゴム調塗装を施したことを特徴とする請求項１又は２記載のレンズ交換式カメラ。
【請求項４】
前記バリアが透明部材であることを特徴とする請求項１〜３の何れかに記載のレンズ交換式カメラ。
【請求項５】
前記レンズユニットが前記バリアに当接する部分に、レンズユニットの挿入動作時に最初に係合する案内手段を備えたことを特徴とする請求項１〜４の何れかに記載のレンズ交換式カメラ。
【請求項６】
前記案内手段は前記レンズユニットと前記カメラとの光軸まわりの回動中心軸を一致させる案内手段であることを特徴とする請求項５記載のレンズ交換式カメラ。
【請求項７】
前記案内手段はテーパを有する凹凸嵌合形状を備えたことを特徴とする請求項５又は６記載のレンズ交換式カメラ。
【発明の詳細な説明】
【技術分野】
【０００１】
本発明は、レンズ交換式カメラに関し、さらに詳しくはカメラ側マウント部の電気接点の保護構造に関する。
【背景技術】
【０００２】
レンズ交換式カメラでは、レンズユニットが非装着時に、カメラ本体とレンズユニットとの接合部分に設けられた開口部から、カメラ本体の内部に、ごみ、ほこり等の異物が入らないようにする必要がある。特に、撮像素子を内蔵したレンズユニットでは、レンズユニットとカメラ本体との間の接続端子部分にごみ等が付着するとカメラの精度が著しく低下するので、これを防止する必要がある。
【０００３】
このため、例えば、撮像用レンズユニットからの光を内部へ入射させるための開口部を備えた筐体と、前記開口部を閉鎖する閉鎖位置と前記開口部を開放する開放位置との間を移動可能な開口部カバーとを備え、前記開口部カバーは、撮像用レンズユニットが装着される際に、押されて前記閉鎖位置から前記開放位置へ移動可能な撮像装置がある（例えば、特許文献１参照。）。
【０００４】
この技術はカメラマウント部にバリアを配置し、接点部にゴミ等が入るのを防ぐもので、レンズユニットとカメラ本体との係合方向が挿入方向と同一方向である場合にのみ対応可能で、レンズユニットを挿入してから光軸まわりに回動して係合する場合には適用が困難である。
【０００５】
また、交換レンズユニットの取外し時に撮像装置の表面にごみが付着するのを防止する技術として、レンズユニットの取り外し時に構造体の内部空間の気密を保持する透明カバーを具備した装置がある（例えば、特許文献２参照。）。
【０００６】
この技術では、カメラマウント部に透明の保護カバーを備え、光学的には保護できるが、電気的な接点部の保護に関して言及されておらず、接点部の保護は別途対応が必要である。
【０００７】
また、レンズ交換式カメラの交換レンズ鏡胴に、カメラ本体との装着時用に触覚により認識可能な形状の指標を設けた技術がある（例えば、特許文献３参照。）。
【０００８】
この技術は暗所においてもレンズ交換が容易である。しかしレンズ交換の際に着脱回動軸と光軸とを一致させ、さらにレンズの周方向角度位置を合致させるという煩らわしさが残っている。
【特許文献１】特開２００４−１０９９７０号公報
【特許文献２】特開２０００−２４１８６９号公報（第２−３頁、図１）
【特許文献３】特開平１０−８２９３７号公報（第２−５頁、図１）
【発明の開示】
【発明が解決しようとする課題】
【０００９】
本発明は、レンズ交換式カメラにおいて、レンズユニットをカメラ本体に挿入してから光軸まわりに回動して係合させる着脱方式のカメラに適用可能な技術であって、開口部に電気接点部の保護が可能なバリアを備えたレンズ交換式カメラを提供することを目的とするものである。
【００１０】
また本発明は、レンズユニットをカメラ本体に装着する動作におけるレンズユニットとカメラ本体との着脱軸を自動的に一致させると共に、レンズユニットの周方向挿入角度を合致させてレンズユニット装着動作をさらに容易に行うことができるようにした構造を提案する。
【課題を解決するための手段】
【００１１】
本発明は、上記問題点を解決するためになされたもので、次の技術手段を講じたことを特徴とするレンズ交換式カメラである。すなわち、本発明の第１の発明は、レンズユニットを光軸方向に押込み光軸まわりに回動してカメラ本体に係合させるレンズ交換式カメラにおいて、レンズユニット挿入方向に抗して付勢されているバリアをカメラ本体に備え、該バリアはレンズ挿入動作に連動して退避し、退避に伴ってカメラ本体側接点を露出させるように構成され、レンズユニットにはレンズユニットが光軸まわりに回動してカメラ本体に係合したとき、前記カメラ本体側接点に接触する接点を備えたことを特徴とするレンズ交換式カメラである。
【００１２】
本発明はバリアが退避する際に開口部が開き、カメラ側の接点が露出するもので接点保護を図るものである
本発明のレンズ交換式カメラにおいて、第２の発明は前記本体側接点が、カメラ本体側マウントの爪の裏側に配設されているようにしたもので、接点が好適に保護される。
【００１３】
また本発明のレンズ交換式カメラにおいて、前記バリアのレンズユニットと接する接触面にゴムを介装するか又はゴム調塗装を施すと、バリアの接触面が弾性部材となっており、マウントと係合時に防塵性を有するので接点保護、防塵防滴効果が向上し、好適である。
【００１４】
また、前記バリアは透明部材であると、光学的に透過性となり、異物の進入を防止する。また内部観察が容易になり好ましい。
【００１５】
さらに、本発明の第３の発明は、前記レンズユニットが前記バリアに当接する部分にレンズユニットの挿入動作時に、最初に係合する案内手段を備えたことを特徴とする。
【００１６】
前記案内手段は前記レンズユニットと前記カメラとの光軸まわりの回動中心軸を一致させる案内手段とすると自動的に位置合わせが行われるので好適であり、さらに前記案内手段としてはテーパを有する凹凸嵌合形状を備えると、正確な着脱が一層容易となる。このテーパを有する凹凸嵌合形状は１個でもよく、複数個でもよい。
【発明の効果】
【００１７】
本発明によれば、レンズユニットを光軸方向に押込み、光軸まわりに回動してカメラ本体に係合させるレンズ交換式カメラにおいて、レンズ挿入方向に抗して付勢されているバリアをカメラ本体に備え、バリアはレンズ挿入動作に連動して退避し、退避するとカメラ本体側の接点部が露出し、レンズユニットを光軸まわりに回動して係合すると接点同士が接触するようになっているので、接点が効果的に保護される。
【００１８】
また、前記レンズユニットが前記バリアに当接する部分にレンズユニットの挿入動作時に最初に係合する案内手段を設け、前記案内手段は前記レンズユニットと前記カメラとの光軸まわりの回動中心軸を一致させる案内手段とし、さらに、テーパを有する凹凸嵌合形状を備えたものとすることによって、レンズユニットとカメラ本体との着脱軸を自動的に一致させると共に、レンズユニットの挿入角度を合致させてレンズユニット装着動作をさらに容易に行うことができる。
【発明を実施するための最良の形態】
【００１９】
以下本発明を実施するための最良の形態について図面を参照して説明する。
【００２０】
図１〜図３は本発明の一実施例の説明図で、本発明の第１の発明に対応しているものである。
【００２１】
図１（ａ）はカメラ本体２０の正面からバリア１０を見た正面図で、図１（ｂ）はその縦断面図を示している。図２（ａ）は図１（ａ）のバリア１０の上方からレンズユニット３０をカメラ本体内２０に押し込んだ状態を示すもので、レンズユニット３０のマウントとカメラ本体２０のマウントとの関係を示しており、レンズユニット３０の本体を除いた正面図である。図２（ｂ）は図２（ａ）の縦断面図（レンズユニット３０も部分的に示している）である。図３（ａ）は図２（ａ）の状態からレンズユニット３０を回動させて、レンズユニット３０側マウントとカメラ本体２０側マウントが係止した状態を示すもので、レンズユニット３０の本体部分を除いた正面図である。図３（ｂ）は図３（ａ）の縦断面図（レンズユニット３０も部分的に示している）である。
【００２２】
図１（ａ）、（ｂ）に示すように、本発明のレンズ交換式カメラにはカメラ本体２０に、ばね１１によってカメラ本体２０の外側向きに付勢されているバリア１０が設けられている。このバリア１０は、図１（ａ）、（ｂ）に示すように、カメラ本体２０の内部に位置する側部に拡径爪部１２を備え、この拡径爪部１２はカメラ本体２０のマウントの爪２１の間の切欠部に挿入されている。この拡径爪部１２の外周面１３に接続端子の接触ピン（接点）４０が当接している。接触ピン４０は弾性材４１によってバリア１０の拡径爪部１２の側面１３に押圧するように付勢されている。レンズユニット３０を図２（ａ）、（ｂ）に示すように、カメラ本体２０内に押し込むと、バリア１０はカメラ内部に移動し、レンズユニット３０のマウントの爪３１の外周３３に接触ピン４０が接触するようになる。次いでレンズユニット３０を矢印３２で示す方向に光軸まわりに回動させる。
【００２３】
接触ピン４０は光軸中心側に向けて弾性体４１によって付勢されており、バリア１０が閉じている間はバリア１０の拡径爪部１２の側面（外周面１３）に接触している。バリア１０の接触ピン４０が接触している部分は絶縁されている。また図２（ｂ）に示すように、バリア１０がレンズユニット３０挿入方向に退避すると、接触ピン４０はレンズユニット３０の側面３３と接触する。次いで図３（ｂ）に示すように、レンズユニット３０を矢印３２方向に回動させると、接触ピン４０はレンズユニット３０側の端子３４と接触する。この方式の接続端子は回動係合の回動量が少ない場合に端子数を増やすことができる利点がある。
【００２４】
図４〜図６は別の実施例を示す説明図で、カメラ本体２０側の接点（接触ピン４０）がカメラ本体２０のマウントの爪２１の裏側に配置されている例である。
【００２５】
図４（ａ）はカメラ本体２０の正面からバリア１０を見た正面図で、図４（ｂ）はその縦断面図を示している。図５（ａ）は図４（ａ）にレンズユニット３０を押し込んだ状態のレンズユニット３０のマウントとカメラ本体２０のマウントとの関係を示したもので、レンズユニット３０本体部を除いた正面図である。図５（ｂ）は図５（ａ）の縦断面図（レンズユニット３０も部分的に示している）である。図６（ａ）は図５（ａ）の状態からレンズユニット３０を回動させて、レンズユニット３０側マウントとカメラ本体２０側マウントが係止した状態を示すもので、レンズユニット３０本体を除いた正面図である。図６（ｂ）は図６（ａ）の縦断面図（レンズユニット３０も部分的に示している）である。
【００２６】
図４（ａ）、（ｂ）に示すように、カメラ本体２０にはバネ１１によってカメラ本体２０から外方に向って付勢されているバリア１０が設けられている。
【００２７】
カメラ本体２０側の接触ピン４０はカメラ本体２０側のマウントの爪２１の裏側に配設されている。爪２１の裏側とは、爪２１の背面２３又は背後側の空間を云う。接触ピン４０はばね４１によってバリア１０側に向けて付勢されているが、バリア１０に当らないようにストッパ２２によって位置決めされている。なお、接触ピン４０は爪２１の背面２３に背面から下方に突出するように設けられていてもよく、爪２１の背後側の空間内に図４（ｂ）に示すように半径方向内側向きに付勢されている態様に設けられていてもよい。
【００２８】
図５（ａ）、（ｂ）はカメラ本体にレンズユニット３０を挿入した段階を示している。レンズユニット３０のマウントの爪３１はカメラ本体２０側のマウントの爪２１の間の切欠２４内に挿入されている。
【００２９】
バリア１０は、図５（ｂ）に示すように、レンズユニット３０の挿入動作によって、カメラ本体２０の内側にレンズユニット３０挿入方向に押し込まれる。この構造であれば、レンズユニット３０をカメラ本体２０内に挿入してから光軸まわりに回転させることができる。
【００３０】
また、接触ピン４０はレンズユニット３０の中心側に向って弾性体４１で付勢されていて、爪２１の裏側空間内に配置されている。接触ピン４０はストッパ２２によって支えられ、バリア１０が閉じている際に、バリア１０の側面１３に接触している必要はない。また、バリア１０がレンズユニット３０挿入方向に退避しても、接触ピン４０はレンズユニット３０の側面３３と接触せず、レンズユニットの回動係合完了時に、図６（ａ）、（ｂ）に示すように、レンズユニット３０の爪３１の側面に配置された端子３４と接触する。
【００３１】
図４〜図６に示した実施例の方式では、レンズユニットの回動係合の回動量が大きい場合に、端子数を増やせるという利点がある。
【００３２】
図７は実施例のバリア１０の縦断面図を示すもので、カメラ本体２０側のマウントと接触する面にシールゴム１５を配設したものを示している。このシールゴム１５は防塵防滴作用をなすものである。シールゴム１５の代りにゴム調塗装を接触面に施してもよい。ゴム調塗装とは塗料にゴムを混入したもので、施工面に吹きつける塗装である。
【００３３】
図８〜図１０は本発明の別の実施例を示す縦断面図であって、レンズユニット３０とカメラ本体２０との係合部を示している。
【００３４】
この実施例では、レンズユニット３０がバリア１０に当接する部分に、案内斜面３６を有する円錐台状の凹部３５を設け、バリア１０側にこの案内斜面３６と係合する案内斜面１７を有し、凹部３５と同一形状の円錐台状の凸部１６を設けている。
【００３５】
レンズユニット３０を上記円錐台状の凹部３５と凸部１６とが接触するように、矢印３７で示すようにカメラ本体２０に近接させると、図９に示すように、案内斜面１７、３６に案内されて凹部３５と凸部１６が係合し、レンズユニット３０の中心軸とカメラ本体２０のバリア１０の中心軸とが合致する。バリア１０の中心軸はカメラの光軸と一致するように配設されているので、レンズユニット３０の軸も光軸と一致する。案内斜面１７、３６は円錐面をなし互いに中心を一致させるように案内するガイドの作用をなす。
【００３６】
次いで、図１０に示すように、レンズユニット３０をカメラ本体２０内に押込んでバリア１０をばね１１に抗してカメラ本体２０内に後退させ、次いで、レンズユニット３０を回動させると、レンズユニット３０の接点３４がカメラ本体２０側の接点４０と接触し、レンズユニット３０とカメラ本体２０との結合が完了する。
【００３７】
図８〜図１０に示す実施例では、レンズユニット３０とカメラ本体２０との係合を、ワンタッチで自動的に正確に行うことができる。
【図面の簡単な説明】
【００３８】
【図１（ａ）】バリアの正面図である。
【図１（ｂ）】バリアの縦断面図である。
【図２（ａ）】レンズユニットのマウントとカメラ本体のマウントとの関係を示す正面図である。
【図２（ｂ）】図２（ａ）の縦断面図である。
【図３（ａ）】レンズ側マウントとカメラ本体側マウントが係止した状態を示す正面図である。
【図３（ｂ）】図３（ａ）の縦断面図である。
【図４（ａ）】バリアの正面図である。
【図４（ｂ）】バリアの縦断面図である。
【図５（ａ）】レンズユニットのマウントとカメラ本体のマウントとの関係を示す正面図である。
【図５（ｂ）】図５（ａ）の縦断面図である。
【図６（ａ）】レンズ側マウントとカメラ本体側マウントが係止した状態を示す正面図である。
【図６（ｂ）】図６（ａ）の縦断面図である。
【図７】実施例のバリアの縦断面図である。
【図８】別の実施例の縦断面図である。
【図９】図８の実施例の作動を示す断面図である。
【図１０】図８の実施例の作動を示す断面図である。
【符号の説明】
【００３９】
１０    バリア
１１    ばね
１２    爪
１３    外周面（側面）
１５    シールゴム
１６    凸部
１７    案内斜面
２０    カメラ本体
２１    爪
２２    ストッパ
２３    切欠
３０    レンズユニット
３１    爪
３２    矢印
３３    側面（外周）
３４    接点（端子）
３５    凹部
３６    案内斜面
３７    矢印
４０    接触ピン（接点）
４１    弾性体
【図１（ａ）】
2005316438.tif 000003
【図１（ｂ）】
2005316438.tif 000004
【図２（ａ）】
2005316438.tif 000005
【図２（ｂ）】
2005316438.tif 000006
【図３（ａ）】
2005316438.tif 000007
【図３（ｂ）】
2005316438.tif 000008
【図４（ａ）】
2005316438.tif 000009
【図４（ｂ）】
2005316438.tif 000010
【図５（ａ）】
2005316438.tif 000011
【図５（ｂ）】
2005316438.tif 000012
【図６（ａ）】
2005316438.tif 000013
【図６（ｂ）】
2005316438.tif 000014
【図７】
2005316438.tif 000015
【図８】
2005316438.tif 000016
【図９】
2005316438.tif 000017
【図１０】
2005316438.tif 000018